(57)【特許請求の範囲】
【請求項１】
梁と、柱と、屋根と、桁固定具と、垂木固定具とを備え、梁は、柱に横架してあり、屋根は、桁と、桁に直交する垂木を有し、桁の下面には長手方向に沿って取付部を有しており、梁の上に桁を載置してあって、桁固定具は、梁と、桁の取付部に固定するものであり、垂木固定具は、梁と、垂木の下面に固定するものであり、桁固定具を梁の短手方向一方側に、垂木固定具を梁の短手方向他方側に取り付けて、梁と桁が平行な向きに連結する場合と、桁固定具を梁の短手方向両側に取り付けて、梁と桁が平面視して交差する向きに連結する場合を選択自在であることを特徴とする組立建物。
【発明の詳細な説明】
【技術分野】
【０００１】
本発明は、柱と、柱に横架した梁と、桁を有する屋根とを備え、梁の上に桁を載置して連結した構造の組立建物に関する。
【背景技術】
【０００２】
従来、カーポート、テラス、バルコニーなどの組立建物において、特許文献１に示すように、柱と、柱に横架した梁と、屋根とを備え、屋根は軒に桁を有していて、梁の上に桁を載置して連結した構造のものがある。その際、梁と桁とは平面視して交差している。
【先行技術文献】
【特許文献】
【０００３】
【特許文献１】特開２００２−２５６６２３号公報
【発明の概要】
【発明が解決しようとする課題】
【０００４】
ところで、組立建物のより多様な設置パターンを実現するために、梁に対して桁を平行にして屋根を取り付けたいというニーズがある。しかし、特許文献１の組立建物では、梁に対して桁を平行にして連結することはできない。また、そのために梁や桁の構造を変更することは製造コストの上昇につながるため、従来の梁や桁を用いて、梁に対して桁を平行にして連結できる組立建物が求められていた。
【０００５】
本発明は、上記事情を鑑みたものであり、梁の上に屋根の桁を載置した構造であって、梁と桁が平行な向きに連結する場合と、梁と桁が平面視して交差する向きに連結する場合を選択自在な組立建物を提供することを目的とする。
【課題を解決するための手段】
【０００６】
本発明は、梁と、柱と、屋根と、桁固定具と、垂木固定具とを備え、梁は、柱に横架してあり、屋根は、桁と、桁に直交する垂木を有し、桁の下面には長手方向に沿って取付部を有しており、梁の上に桁を載置してあって、桁固定具は、梁と、桁の取付部に固定するものであり、垂木固定具は、梁と、垂木の下面に固定するものであり、桁固定具を梁の短手方向一方側に、垂木固定具を梁の短手方向他方側に取り付けて、梁と桁が平行な向きに連結する場合と、桁固定具を梁の短手方向両側に取り付けて、梁と桁が平面視して交差する向きに連結する場合を選択自在であることを特徴とする。
【発明の効果】
【０００７】
本発明によれば、桁固定具と垂木固定具とを適宜選択して使用することにより、梁と桁が平行な向きと、梁と桁が平面視して交差する向きの何れの向きでも連結することができる。また、同じ梁に複数の屋根を異なる向きに取り付けることもできる。
【図面の簡単な説明】
【０００８】
【図１】梁と桁の平行連結部分の側面図である。
【図２】平行連結部分の平面図である。
【図３】梁と桁の交差連結部分の側面図である。
【図４】交差連結部分の平面図である。
【図５】組立建物の平面図である。
【図６】（ａ）は図５のＡ−Ａ線断面図、（ｂ）は図５のＢ−Ｂ線断面図である。
【図７】組立建物の正面図である。
【発明を実施するための形態】
【０００９】
以下、本発明の実施の形態を図面に基づいて説明する。本発明の組立建物は種々の用途に用いられるが、ここではカーポートの場合を示す。この組立建物は、図５〜図７に示すように、平行に配置した二本の梁１と、二枚の屋根３とを備えており、それぞれの梁１は両端に柱２を連結して門形に組んである。二枚の屋根３は同じものであって、両側の軒に設けた桁６と、桁６に直交する垂木７とを有しており、一方の屋根３（平行連結屋根３ａ）は梁１と桁６が平行な向きに、他方の屋根３（交差連結屋根３ｂ）は梁１と桁６が平面視して直交する向きにして、二枚の屋根３を略Ｌ字形に配置してあり、梁１の上に桁６を載置して、桁固定具４及び垂木固定具５により連結してある。以下、梁１と桁６の連結部分について詳述する。
【００１０】
まず、梁１と、平行連結屋根３ａの桁６の連結部分について説明する。この場合、梁１と桁６とが平行になっており、桁固定具４及び垂木固定具５をそれぞれ四箇所に取り付けて梁１と桁６とを連結してある（図５）。図１及び図２に示すように、桁固定具４は、平板部４１と、鉤状の爪部４２とを有する。また、垂木固定具５は、平板を三回直角に折り曲げた形状で、梁１の側面に当接する垂直面５１と、垂木７の下面に当接する水平面５２とを有する。そして、桁６の下面には、長手方向の全長にわたって溝状の取付部６１が形成してある。また、桁６の側面には、桁６に直交する垂木７を連結してある。さらに、梁１の両側面上端には長手方向の全長にわたって梁側爪部１１が形成してある。これらの桁固定具４及び垂木固定具５により梁１と桁６とを連結するには、まず梁１の上面に略直方体形状のスペーサ８を載置し、さらにその上に桁６を載置する。そして、桁固定具４の平板部４１を桁６の下面に当接させ、爪部４２を梁１の外側側面の梁側爪部１１に係合させて、桁固定具４と、取付部６１に係止させた裏板９とをボルト止めする。さらに、垂木固定具５の垂直面５１を梁１の内側側面に当接させてネジ止めし、水平面５２を垂木７の下面に当接させてネジ止めする。なお、桁固定具４は、梁１の長手方向の任意の位置に取りつけることができ、かつ桁６の長手方向の任意の位置に取り付けることができる。また、垂木固定具５は、梁１の長手方向の任意の位置に取りつけることができる。よって、平行連結屋根３ａは、梁１の長手方向の任意の位置に取りつけることができる。さらに、本実施形態では、桁固定具４と垂木固定具５とを梁１の長手方向にずらして取り付けてあるが（図２）、両者が対向するように取り付けてもよい。
【００１１】
次に、梁１と、交差連結屋根３ｂの桁６の連結部分について説明する。この場合、梁１と桁６とが平面視して直交しており、桁固定具４を二つずつ四箇所に取り付けて梁１と桁６とを連結してある（図５）。図３及び図４に示すように、桁固定具４は、平行連結屋根３ａに用いたものと同じものであり、平板部４１と、爪部４２とを有する。また、スペーサ８及び裏板９も、平行連結屋根３ａに用いたものと同じである。桁固定具４により梁１と桁６とを連結するには、まず梁１の上面に二つのスペーサ８を載置し、さらにその上に桁６を載置する。そして、二つの桁固定具４の平板部４１を桁６の下面に当接させ、それぞれの爪部４２を梁１の両側面の梁側爪部１１に係合させて、桁固定具４と、取付部６１に係止させた裏板９とをボルト止めする。なお、桁固定具４は、梁１の長手方向の任意の位置に取りつけることができ、かつ桁６の長手方向の任意の位置に取り付けることができる。よって、交差連結屋根３ｂは、水平方向の任意の位置に取りつけることができる。さらに、梁１の両側面の桁固定具４を梁１の長手方向にずらして取り付けることにより、桁６に対して梁１を傾斜させて連結できる。よって、交差連結屋根３ｂは梁１に対して平面視して傾斜させて取り付けることもできる。
【００１２】
以上のように、平行連結屋根と交差連結屋根のそれぞれの連結部分において、異なる部材は桁固定具と垂木固定具のみであり、それ以外はすべて共通の部材が用いられている。よって、桁固定具と垂木固定具とを適宜選択して使用することにより、梁と桁が平行な向きと、梁と桁が平面視して交差する向きの何れの向きでも連結することができる。また、本実施形態のように、同じ梁に複数の屋根を異なる向きに取り付けることもできる。
【００１３】
本発明は、上記の実施形態に限定されない。桁固定具及び垂木固定具の構造は、梁と桁が平行な向きと、梁と桁が平面視して交差する向きの何れの向きでも連結することができるものであれば、どのようなものであってもよい。また、屋根の配置パターンも自在であり、二枚の屋根をＬ字形に配置する以外に、たとえばＴ字形に配置したり、交差連結屋根を梁に対して傾斜させたりしてもよいし、同じ梁に三枚以上の屋根を取り付けてもよい。さらに、屋根は平面視して矩形のものに限られず、台形や平行四辺形などであってもよい。また、この組立建物は、カーポート以外に、テラスやバルコニーなどとして使用するものであってもよい。
【符号の説明】
【００１４】
１  梁
２  柱
３  屋根
４  桁固定具
５  垂木固定具
６  桁
７  垂木
６１  取付部
【図１】
0005530379.tif 000002
【図２】
0005530379.tif 000003
【図３】
0005530379.tif 000004
【図４】
0005530379.tif 000005
【図５】
0005530379.tif 000006
【図６】
0005530379.tif 000007
【図７】
0005530379.tif 000008